(57)【要約】【課題】家庭内などで、電気機器の電力消費量を監視し、電力消費量が異常な値になった場合に警報を発する場合において、電力監視装置の近傍に視聴者が居ない場合、警報を認識しやすいように警報の発報を行う。【解決手段】テレビジョン受像機、テレビジョン受像機などの表示素子を有する機器などに映出した映像を提供する家庭内のネットワークシステムとして提案されているＡＶ機器ネットワークのコントローラを有しており、接続されている表示機器の動作状態を検知することを特徴として、電力消費量が異常な場合、警報の発報先を視聴者が認識しやすいように変更する。【選択図】図１
2015089176.tif 000002
【特許請求の範囲】
【請求項１】
消費電力監視ネットワークを有し、当該消費電力監視ネットワークによって消費電力監視電気機器との通信を行う消費電力監視通信手段と、
ＡＶ機器ネットワークを有し、当該ＡＶ機器ネットワークによってＡＶ機器ネットワーク電気機器との通信を行うＡＶ機器ネットワーク通信手段と、
前記消費電力監視通信手段により取得した情報を利用して、前記消費電力監視ネットワークに接続された消費電力監視電気機器の情報を取得し稼動状況を判断する消費電力監視稼動状況判断手段と、
前記ＡＶ機器ネットワーク通信手段により取得した情報を利用して、前記ＡＶ機器ネットワークに接続されたＡＶ機器ネットワーク電気機器の使用情報を取得するＡＶ機器ネットワーク使用情報取得手段と、
前記ＡＶ機器ネットワーク電気機器に搭載されている中継器へ情報を送信するＡＶ機器ネットワーク情報送信手段と、
前記消費電力監視通信手段と前記ＡＶ機器ネットワーク通信手段とを接続する接続手段と、
を備え、
前記消費電力監視稼動状況判断手段で判断された前記稼動状況の判断結果と前記ＡＶ機器ネットワーク使用情報取得手段で取得した使用情報の結果を基に決定される前記ＡＶ機器ネットワーク電気機器に警報を発報することを特徴とする電気機器監視装置。
【請求項２】
前記ＡＶ機器ネットワーク使用情報取得手段と事前に登録した前記ＡＶ機器ネットワーク電気機器の配置情報を利用する事により、警報を発報するＡＶ機器ネットワーク電気機器を推定することを特徴とする請求項１に記載の電気機器監視装置。
【請求項３】
前記消費電力監視稼働状況判断手段は、前記消費電力監視通信手段で得られる消費電力情報を用い、事前に設定した消費電力基準範囲を外れた場合に異常が発生したと判断することを特徴とする請求項１または請求項２に記載の電気機器監視装置。
【請求項４】
前記消費電力監視稼動状況判断手段は、前記消費電力監視通信手段で得られる消費電力情報を用い、過去の消費電力の変動範囲を消費電力基準範囲とし、異常有無の判断を行うことを特徴とする請求項１または請求項２に記載の電気機器監視装置。
【請求項５】
前記消費電力監視稼働状況判断手段により前記消費電力監視電気機器に異常が発生したと判断した場合に、前記ＡＶ機器ネットワーク使用情報取得手段で得られた前記ＡＶ機器ネットワーク電気機器の使用履歴を利用することで、現在使用されている可能性の高いＡＶ機器ネットワーク電気機器を推定し、この推定されたＡＶ機器ネットワーク電気機器へ向け、前記ＡＶ機器ネットワーク情報送信手段を用いて、前記異常が発生したと判断した前記消費電力監視電気機器の異常発生情報を送信することを特徴とする請求項１〜請求項４のいずれか１項に記載の電気機器監視装置。
【請求項６】
前記消費電力監視電気機器の稼動状況が異常であると判断した場合に、異常が発生したと判断した消費電力監視電気機器の電源を前記消費電力監視通信手段を用いて操作すると共に、前記ＡＶ機器ネットワーク通信手段を用いて操作した旨が報知されることを特徴とする請求項１〜請求項５のいずれか１項に記載の電気機器監視装置。
【請求項７】
前記消費電力監視通信手段と前記ＡＶ機器ネットワーク通信手段のいずれか一方または両方が、インターネット等を含む遠隔通信手段を含むことを特徴とする、請求項１〜請求項６のいずれか１項に記載の電気機器監視装置。
【発明の詳細な説明】
【技術分野】
【０００１】
本発明は、電気機器の劣化や異常を監視する電気機器監視装置に関するものである。
【背景技術】
【０００２】
近年、家庭向けエネルギー管理システムの導入が進んでおり、一般家庭へも宅内ネットワークを備えた住宅が増加してきている。家庭向けエネルギー管理システムは家庭内の電気機器をネットワークで接続し、電力の消費状態を見える化し、消費電力を監視すると共に各電気機器を制御することを目的の一つとするコントローラ（以下、このコントローラを消費電力監視コントローラと呼ぶ）が存在する。消費電力監視コントローラは、消費電力監視ネットワークに接続されている宅内電気機器の消費電力を常時検出することにより、各電気機器の電力の消費電力状態を監視している。また、消費電力監視機器には、ガス漏れセンサや防犯センサも含まれている。ところで、各家庭内には、消費電力が全く無くなると生活に支障をきたす冷蔵庫や、防犯のための監視カメラなどが存在している。そのような、電気機器の消費電力が、全くなくなるなどの異常状態を検知した場合や、ガス漏れを検知した場合や、防犯センサや防犯カメラで人検知した場合に警報を発する技術が提案されている。このような技術を利用して、消費電力が異常状態にある電気機器の故障を利用者が検知し、故障した電気機器を、生活に支障をきたす前に修理するなどの防護措置を行うことや、防犯やガス漏れなどの非常事態への対処ができる。
【０００３】
一方、宅内のネットワークは、テレビジョン受像機やＤＶＤレコーダなどを接続し、映像や画像をメモリーに蓄積し、複数のテレビジョン受像機で映像や画像を共有するデジタルリビングネットワークアライアンス（以下、ＡＶ機器ネットワーク連合と称する）のネットワーク（以下、これを単にＡＶ機器ネットワークと呼ぶ）もハードディスクを備えたデジタルテレビジョン受像機などを中心に家庭内に普及してきている。ＡＶ機器ネットワークには、映像や画像を再生する、例えばテレビジョン受像機、デジタルメディアプレイヤー（以下、プレイヤーと略記する）とＡＶ機器ネットワークに接続されているプレイヤーにあたる機器の使用状態情報と、デジタルメディアレンダラー（以下、中継器と呼ぶ）を通して制御するためのデジタルメディアコントローラ（以下、ＡＶ機器ネットワークコントローラと呼ぶ）と、映像や画像を蓄積しているデジタルメディアサーバー（以下、コンテンツサーバーと呼ぶ）が存在する。ＡＶ機器ネットワークで宅内を接続している家庭においては、居室にあるテレビジョン受像機で、コンテンツサーバーに蓄積されている映像や画像が視聴される際、ＡＶ機器ネットワークコントローラが制御され、中継器を介して、テレビジョン受像機に所望の映像や画像であって、コンテンツサーバー内に蓄積されている映像や画像が選択され、居室のテレビジョン受像機に映し出される。その場合、ＡＶ機器ネットワークコントローラが、中継器を介して、制御されているテレビジョン受像機が使用されている状態であることを情報として示すことができ、その画面が視聴者によって見られていることを把握することができる。
【先行技術文献】
【特許文献】
【０００４】
【特許文献１】特開２００４−２２２３７４号公報
【発明の概要】
【発明が解決しようとする課題】
【０００５】
ここで、例えば消費電力監視ネットワークに接続されている家庭内の冷蔵庫の電力消費量が、全く無くなった場合、消費電力監視コントローラは、消費電力がゼロとなったことを検出し、警報を発することになるが、警報を知らせたい視聴者が、消費電力監視コント
ローラ上に表示された警報を認識できる場所にいない場合には、この警報を認識できず、警報に対する素早い対応が出来ない場合があるといった課題があった。
【課題を解決するための手段】
【０００６】
この発明に係る電気機器監視装置は、
消費電力監視ネットワークを有し、当該消費電力監視ネットワークによって消費電力監視電気機器との通信を行う消費電力監視通信手段と、
ＡＶ機器ネットワークを有し、当該ＡＶ機器ネットワークによってＡＶ機器ネットワーク電気機器との通信を行うＡＶ機器ネットワーク通信手段と、
前記消費電力監視通信手段により取得した情報を利用して、前記消費電力監視ネットワークに接続された消費電力監視電気機器の情報を取得し稼動状況を判断する消費電力監視稼動状況判断手段と、
前記ＡＶ機器ネットワーク通信手段により取得した情報を利用して、前記ＡＶ機器ネットワークに接続されたＡＶ機器ネットワーク電気機器の使用情報を取得するＡＶ機器ネットワーク使用情報取得手段と、
前記ＡＶ機器ネットワーク電気機器に搭載されている中継器へ情報を送信するＡＶ機器ネットワーク情報送信手段と、
前記消費電力監視通信手段と前記ＡＶ機器ネットワーク通信手段とを接続する接続手段と、
を備え、
前記消費電力監視稼動状況判断手段で判断された前記稼動状況の判断結果と前記ＡＶ機器ネットワーク使用情報取得手段で取得した使用情報の結果を基に決定される前記ＡＶ機器ネットワーク電気機器に警報を発報することを特徴とするものである。
【発明の効果】
【０００７】
本発明に関わる監視装置は、ＡＶ機器ネットワークと消費電力監視ネットワークをリンクさせた上で警報の発報条件及び発報手段を柔軟に変更できるので、消費電力監視コントローラが警報を発する際に、ＡＶ機器ネットワークを構築しているＡＶ機器ネットワークコントローラの保有しているデータを確認し、動作状態にある中継器機能を有するテレビジョン受像機などを介して警報を発報することができ、視聴者が認識しやすい警報を提供することができる。
【図面の簡単な説明】
【０００８】
【図１】本発明の実施形態１に関わるシステムの概略図である。
【図２】本発明の実施形態１に関わる消費電力監視コントローラのシーケンス図である。
【図３】本発明の実施形態１に関わる消費電力監視コントローラのブロック図である。
【図４】本発明の実施形態１に関わるＡＶ機器ネットワークのコントロール手段であるＡＶ機器ネットワークコントローラのブロック図である。
【図５】本発明の実施形態１に関わるＡＶ機器ネットワークコントローラマイクロコントローラの処理フロー図（前部分）である。
【図６】本発明の実施形態１に関わるＡＶ機器ネットワークコントローラマイクロコントローラの処理フロー図（後部分）である。
【図７】発明の実施形態１に関わるＡＶ機器ネットワークの宅内ネットワークに接続されるコンテンツサーバーのブロック図である。
【図８】コンテンツサーバーに格納されているコンテンツを示す図である。
【図９】コンテンツサーバーに格納されている警報コンテンツを映出した画面表示を示す図である。
【図１０】本発明の実施形態２に関わるシステムの概略図である。
【発明を実施するための形態】
【０００９】
実施の形態１．
本発明における実施の形態１について、電気機器監視装置は、ＡＶ機器ネットワークを構成するＡＶ機器ネットワークコントローラ、中継器、コンテンツサーバーと、消費電力監視ネットワークを構成する消費電力監視コントローラ１０１とを接続した上で、ＡＶ機器ネットワークコントローラが制御された履歴を参照することにより、消費電力監視コントローラが有している消費電力監視接続機器の消費電力状態を、視聴者が認識しやすい表示機器に表示することができるものである。
【００１０】
図１は、本発明の実施の形態１に係る電気機器監視装置の１例を示すものであって、消費電力監視コントローラ１０１で制御される消費電力監視ネットワーク１０８に消費電力監視機器である消費電力監視冷蔵庫１０２が接続され、ＡＶ機器ネットワーク１０７として、中継器機能を内蔵するテレビジョン受像機Ａ(プレイヤーＡ)１０３および中継器機能を内蔵するテレビジョン受像機Ｂ(プレイヤーＢ)１０４の２台と、コンテンツが格納されているハードディスク装置などのコンテンツサーバー１０６と、ＡＶ機器ネットワーク１０７に接続されているテレビジョン受像機などを制御する手段としてＡＶ機器ネットワークコントローラ１０５が接続されているシステムである。また、このＡＶ機器ネットワークコントローラ１０５と消費電力監視コントローラ１０１も相互に接続されている。
図中、Ｐで示した矢印付点線は、コンテンツサーバー１０６からプレイヤーへのコンテンツの流れを示すものである。この場合、ＡＶ機器ネットワーク１０７が使用される。また、Ｑで示した矢印付点線は、プレイヤー（ここではテレビジョン受像機）とＡＶ機器ネットワークコントローラ間の相互の動作状態の信号の授受、及びコントロール信号の授受を示すものである。この場合も、ＡＶ機器ネットワーク１０７が使用される。また、Ｒで示した矢印付点線は、ＡＶ機器ネットワークコントローラ１０５と消費電力監視コントローラ１０１との相互の信号の授受を示すものであり、例えば、どのプレイヤーが使用されているか、あるいは警報発報のリクエストなどを行うものである。さらに、Ｓで示した矢印付点線は、消費電力監視冷蔵庫１０２から消費電力監視コントローラ１０１への信号の授受を示すものであり、例えば、消費電力監視冷蔵庫の消費電力量を示す信号が伝達される。この場合には、消費電力監視ネットワーク１０８が使用される。
【００１１】
次に、図１に示した消費電力監視コントローラ１０１について、図３を用いてさらに詳しく説明する。消費電力監視コントローラ１０１は、図３に示すように消費電力監視マイクロコントローラ（ここで特に「マイクロコントローラ」と呼んでいるのは、このコントローラが消費電力監視の一機器としてのマイコン、及びドライバを使用しており、「マイクロ」の用語を付けていない通常の消費電力監視コントローラと区別するためである。以下同様）３０１と消費電力監視ネットワークドライバ３０５とで構成されており、この消費電力監視マイクロコントローラ３０１は、ＡＶ機器ネットワークコントローラ通信部３０２と消費電力監視コントローラ部３０３を有しており、周知の消費電力監視コントローラとしての機能として、消費電力監視接続機器の消費電力を計測し、計測したデータを消費電力監視情報記憶部３０４に記憶する。これらに加えて、消費電力監視マイクロコントローラ３０１では、図２に示すフローチャートで消費電力監視接続機器の異常の警告を発報するプログラムが動作状態となっている。
【００１２】
次に、図１に示したＡＶ機器ネットワークコントローラ１０５について、図４を用いて説明する。図４（ａ）に示すように、ＡＶ機器ネットワークコントローラ１０５は、ＡＶ機器ネットワークコントローラのマイクロコントローラ（ここで特に「マイクロコントローラ」と呼んでいるのは、このコントローラがチップとしてのマイコン、及びドライバを使用しており、「マイクロ」の用語を付けていない通常のＡＶ機器ネットワークコントローラと区別するためである。以下同様）４０１とＡＶ機器ネットワークコントローラのネットワークドライバ４０５とで構成されている。また、ＡＶ機器ネットワークコントローラ１０５が保有し、中継器機能を有するテレビジョン受像機を制御する機能は、図４（ｂ）のＡＶ機器ネットワーク機器動作記憶部４０４に、ＡＶ機器ネットワーク機器の動作記憶内容４０６に示されるように、どの中継器によってどのテレビジョン受像機がコンテンツを再生中であるかを、それぞれの中継器と通信することにより取得し、記憶している。図４（ｂ）のＡＶ機器ネットワーク機器の動作記憶内容４０６は、本実施の形態において、テレビジョン受像機Ａ(プレイヤーＡ)１０３がコンテンツＡの再生状態であり、テレビジョン受像機Ｂ(プレイヤーＢ)１０４は停止状態であることを示している。またこの時、ＡＶ機器ネットワークコントローラのマイクロコントローラ４０１は、図５および図６に示す処理フローを実施しており、動作状態となっている。
【００１３】
次に、図１中のコンテンツサーバー１０６は、図７に示すようにコンテンツサーバーネットワークドライバ６０２とコンテンツ格納部６０１で構成されており、コンテンツ格納部６０１には、図８に示すように、ＡＶ機器ネットワークのテレビジョン受像機などに映出させるコンテンツと、警報コンテンツ（図９にその一例を示す）が予め格納されている。
【００１４】
図１において、中継器機能を有するテレビジョン受像機Ａ(プレイヤーＡ)１０３とテレビジョン受像機Ｂ(プレイヤーＢ)１０４は、ＡＶ機器ネットワーク１０７に接続される機器であり、それぞれのテレビジョン受像機が有する中継器機能を介して、ＡＶ機器ネットワークコントローラ１０５によって制御される。
【００１５】
上記実施の形態１において、消費電力監視電気機器である消費電力監視冷蔵庫１０２には、一般に生鮮食料品などが備蓄されており、電力が常時消費されている状態であって、消費電力がゼロとはなることは、停電の場合など特別な場合以外には想定しえない。従って、本実施の形態では、消費電力監視冷蔵庫１０２は、消費電力が“０(ゼロ)”となってはならない機器として取り扱う。
【００１６】
ここで消費電力監視コントローラ１０１は、消費電力監視ネットワークを構成している機器、例えば消費電力監視冷蔵庫１０２の電力消費状態を監視している。
一方、ＡＶ機器ネットワークコントローラ１０５は、あらかじめコンテンツサーバー１０６に格納されているコンテンツが選択されて、中継器機能を有しているテレビジョン受像機Ａ(プレイヤーＡ)１０３、もしくは、テレビジョン受像機Ｂ(プレイヤーＢ)１０４で、コンテンツが再生するよう、命令が出されるようにすることができる。ＡＶ機器ネットワークコントローラ１０５は、図４（ａ）に示すようにＡＶ機器ネットワークコントローラのネットワークドライバ４０５と、ＡＶ機器ネットワークのコントローラ部４０２と、消費電力監視コントローラ通信部４０３とＡＶ機器ネットワーク機器動作記憶部４０４と、で構成されており、本実施例においては、ＡＶ機器ネットワークコントローラ１０５が制御されて、テレビジョン受像機Ａ(プレイヤーＡ)１０３でコンテンツＡが再生されている。
【００１７】
従って、図４（ｂ）中のプレイヤーの動作記憶内容４０６に示すとおり、ＡＶ機器ネットワークコントローラ１０５と通信することにより、消費電力監視コントローラ１０１は、テレビジョン受像機Ａ(プレイヤーＡ)１０３にてコンテンツＡが再生状態であることを容易に確認できる。
【００１８】
次に動作について説明する。
図１の消費電力監視コントローラ１０１は、図２に示す設定機器の消費電力の計測ステップ（以下「ステップ」を「ＳＴ」と略記する）２０１において消費電力監視設定機器の消費電力を計測している。ＳＴ２０２において、消費電力が“０”となってはならない機器（本実施の形態では図１における消費電力監視冷蔵庫１０２）の消費電力が“０”でない場合は、設定機器の消費電力の計測ＳＴ２０１に戻り、消費電力監視電気機器の消費電力の計測を継続する。しかし、ＳＴ２０２において、消費電力が“０”の場合は、何がしかの不具合があるものと判断し、ＡＶ機器ネットワークの使用状態検出機能ＳＴ２０３に進む。
ＡＶ機器ネットワークが使用状態であるか否かを検出するＳＴ２０３では、図３に示すＡＶ機器ネットワークコントローラ通信部３０２により、ＡＶ機器ネットワークコントローラ１０５と通信する。ＡＶ機器ネットワークコントローラ１０５は、図５、図６に示すフロー処理を実施中で、ＳＴ５０１での消費電力監視コントローラ１０１との通信待ち状態から、ＳＴ５０２に進み、消費電力監視コントローラ１０１からＡＶ機器ネットワークの動作状態確認の通信があった場合は、ＳＴ５０３に進み、現在中継器を介して制御しているプレイヤーの動作状態を確認する。
【００１９】
ＡＶ機器ネットワークの機器の動作状態が停止である場合は、ＡＶ機器ネットワークの機器は使用状態で無いと判断し、ＳＴ５０４に進み、消費電力監視コントローラ１０１に対してＡＶ機器ネットワークは使用状態で無いことを通知するが、ＡＶ機器ネットワークコントローラ１０５が中継器を介して制御しているテレビジョン受像機が停止状態で無い場合、例えば、本実施の形態では、図４中のＡＶ機器ネットワーク機器の動作記憶内容４０６に示すように、テレビジョン受像機ＡにてコンテンツＡが再生状態を示している場合は、ＡＶ機器ネットワークが使用状態であると判断して、ＳＴ５０５に進み、消費電力監視コントローラ１０１にＡＶ機器ネットワークが使用状態であることを通知する。
従って、図２の消費電力監視コントローラ１０１のＡＶ機器ネットワークが使用状態であるか否かを検出するＳＴ２０３で、ＡＶ機器ネットワークコントローラ１０５からの通信内容により、ＡＶ機器ネットワークのネットワークに接続されている機器が使用状態であるか否かを検知できる。
【００２０】
ＡＶ機器ネットワークが使用状態であるか否かを検出するＳＴ２０３において、ＡＶ機器ネットワークが使用状態で無ければ、ＳＴ２０４に進んでＡＶ機器ネットワークの接続機器のテレビジョン受像機を介さずに、従来通りに警報の発報を行うが、ＡＶ機器ネットワークが使用状態であれば、ＳＴ２０５に進み、ＡＶ機器ネットワークコントローラのネットワークドライバ４０５を介して、ＡＶ機器ネットワークコントローラ１０５に使用状態にあるＡＶ機器ネットワーク機器を通して警報を発報するように通信する。ＡＶ機器ネットワークコントローラ１０５は、図５に示すＳＴ５０４もしくは、ＳＴ５０５において消費電力監視コントローラにＡＶ機器ネットワーク機器の使用状態を通知した後、ＳＴ５０１に戻り消費電力監視コントローラ通信待ち状態になっている。
【００２１】
図２のＳＴ２０５より使用状態にあるＡＶ機器ネットワーク機器を通して警報を発報するように通信された場合に、図５のＳＴ５０２においての判断は、ＡＶ機器ネットワーク動作確認の通信ではないので、図６のＳＴ５０６に進む。ＳＴ５０６において使用状態にあるＡＶ機器ネットワーク機器が、テレビジョン受像機Ａ(プレイヤーＡ)１０３であるかどうかを確認する。動作状態にあるＡＶ機器ネットワーク機器が、テレビジョン受像機Ａ(プレイヤーＡ)１０３であれば、ＳＴ５０７に進み、コンテンツサーバーの警報コンテンツをテレビジョン受像機Ａ(プレイヤーＡ)１０３で再生するように処理を行う。ＳＴ５０６において、使用状態にあるプレイヤーがテレビジョン受像機Ａ(プレイヤーＡ)１０３で無い場合は、ＳＴ５０８に進み、テレビジョン受像機Ｂ(プレイヤーＢ)１０４が使用状態であるかを確認し、テレビジョン受像機Ｂ(プレイヤーＢ)１０４が使用状態であれば、ＳＴ５０９においてコンテンツサーバーの警報コンテンツをテレビジョン受像機Ｂ(プレ
イヤーＢ)１０４にて再生する。
【００２２】
そして、ＡＶ機器ネットワークが使用状態でテレビジョン受像機Ａ(プレイヤーＡ)１０３もしくは、テレビジョン受像機Ｂ(プレイヤーＢ)１０４で警報コンテンツを再生できた場合には、ＳＴ５１０にて消費電力監視コントローラ１０１に警報を発報したことを通知してプログラムを完了させる。
【００２３】
但し、ＳＴ５０８に進んだあと、テレビジョン受像機Ｂ(プレイヤーＢ)１０４が使用状態であるかを確認し、テレビジョン受像機Ｂ(プレイヤーＢ)１０４が使用状態でなければ、図５のＳＴ５０１に戻り、消費電力監視コントローラ１０１からの通信待ち状態にして、警報を発報した通知を消費電力監視コントローラ１０１に通信しない。
【００２４】
消費電力監視コントローラ１０１は、ＳＴ２０５でＡＶ機器ネットワークコントローラ１０５に警報の発報の要求を出した後、ＡＶ機器ネットワークコントローラ１０５が、実際にＡＶ機器ネットワークに接続されているテレビジョン受像機（プレイヤーＡ）１０３もしくは、テレビジョン受像機（プレイヤーＢ）１０４より警報が発報されたことを、図６のＳＴ５１０の処理により、検知することができる。
【００２５】
しかし、ＡＶ機器ネットワークコントローラ１０５が、警報の発報の要求を受けて、警報を発報するまえに、視聴者がコンテンツの視聴などを中止することも考えられる。このような場合、警報が発報されないことを防止するため、消費電力監視コントローラ１０１は、ＳＴ２０５でＡＶ機器ネットワークコントローラ１０５に警報を発報するように通知した後、ＳＴ２０６に進みＡＶ機器ネットワークコントローラ１０５からの警報を発報した通知があるか無いかを判定し、ＡＶ機器ネットワークコントローラ１０５において警報を発報した通知があればそのままプログラムを終了させるが、通知が無い場合は、ＳＴ２０４に進み消費電力監視コントローラ１０１自身で通常状態の警報を発報する。このように、視聴者がＡＶ機器ネットワークに接続されているプレイヤーの視聴を中止したときに、視聴を中止したことを検知して警報の発報を行うことができる。
【００２６】
以上のように消費電力監視コントローラ１０１の有している電力の消費状態と、ＡＶ機器ネットワークを構成しているＡＶ機器ネットワークコントローラ１０５中のＡＶ機器ネットワーク機器動作記憶部４０４などの制御情報とを確認することにより、プレイヤーの視聴者が警報の発報を認識しやすいように警報の表示ができるようになった。
【００２７】
上述した実施の形態１においては、消費電力監視コントローラ１０１とコンテンツサーバー１０６を別々にしたが、消費電力監視コントローラ１０１にコンテンツサーバー機能（サーバー機能）を持たせることにより、あらかじめ、コンテンツ格納部６０１に警報コンテンツを格納しておく必要がなくなる。
【００２８】
そこでＡＶ機器ネットワーク接続されたテレビジョン受像機Ａ（プレイヤーＡ）１０３やテレビジョン受像機Ｂ（プレイヤーＢ）１０４がどの場所に設置されているかという配置情報を事前に設定しておく事により、この情報とプレイヤーの動作記憶内容４０６の情報とを関連付ける事により、プレイヤーの使用情報だけでなく、配置情報をも考慮した警報発報先の決定をすることが可能となり、より確実に視聴者への警報を発報することが可能となる。
【００２９】
また、上述した実施の形態１では、消費電力監視冷蔵庫１０２の消費電力が０(ゼロ)となった場合に警報を発報することとしたが、これを、以下に説明するような一定の基準範囲を設定することにより、この基準範囲を外れた場合に警報を発するように構成することも可能である。
【００３０】
さらに、上述の消費電力の一定基準範囲の設定方法として、過去の消費電力の変動範囲から一定の算出方法、例えば、過去の消費電力の変動範囲の最低消費電力の半分以下、もしくは、最高消費電力の２倍以上を基準範囲として設定するように構成することで、自動的に基準範囲が設定可能となる。
【００３１】
具体的には、消費電力監視冷蔵庫などでは、コンプレッサーの消費電力は、庫内温度と外気温の差異が大きいほど大きくなる傾向がある。従って、消費電力監視冷蔵庫において、夏の消費電力は高くなり、冬の消費電力は低くなる。夏の消費電力トレンドをそのまま基準範囲として、基準範囲を逸脱した場合に警報を発報するように設定してしまうと、冬には変動範囲自体が低くなるため、常時、警報が発報されることとなる。このようなことは望ましいことではなく、季節ごとに過去の消費電力の変動範囲を考慮した上記のような算出方法を設定し構成できるようにしておく必要がある。
【００３２】
本実施の形態１では、現在使用されているＡＶ機器ネットワーク機器の使用情報により警報を発報する対象を選択しているが、ＡＶ機器ネットワーク機器動作記憶部４０４や過去のＡＶ機器ネットワーク機器動作記憶内容を統計的に参照することで、時間単位、日単位、週単位等任意の間隔で現在視聴者が視聴している、若しくは視聴するかもしれないＡＶ機器ネットワーク機器に対して警報を発報可能となるように構成することで、今現在使用していなくても、視聴者が認識する可能性のあるＡＶ機器ネットワーク機器に対して警報を発報、もしくは、中継器機能を有するＡＶ機器ネットワーク機器すべてに対して警報を発報し、より確実に視聴者が警報を認識可能な構成とすることができる。
【００３３】
また、本実施の形態１で、異常が発生したと判断した消費電力監視電気機器に対して、事前設定した一定の条件を満たし電源をオン又はオフをするなど特定の制御を実行した場合に、上記した警報の発報に引き続き、当該制御内容を、ＡＶ機器ネットワーク通信手段を利用してその制御内容を視聴者に通知することで視聴者の利便性を更に向上させることが可能である。
【００３４】
実施の形態２．
実施の形態１では、システム構成として、インターネットなど外部通信を行うための構成要素は含まれていなかった。本実施の形態２では、実施の形態１の構成要素に加え、ＡＶ機器ネットワーク１０７と消費電力監視ネットワーク１０８のいずれか一方または両方の一部に図１０に示すようにモデム１０９を接続する。そして、ＡＶ機器ネットワークコントローラ１０５もしくは、消費電力監視コントローラ１０１について、外部通信を行うためのメール発信機能などを設けることにより、インターネット等を含む外部のネットワークと接続することで、外出中の視聴者の携帯型電話機などへのメールなどでの警報の通知が可能となるため、家庭内で使用中の機器の異常を通知することが可能となり、より利用者の利便性を向上させることができる。
図１０において、矢印付点線Ｔは、ＡＶ機器ネットワークコントローラ１０５からモデム１０９への信号の伝達を示すものである。なお、矢印付点線Ｐ、Ｑ、Ｒ、Ｓについては、図１におけるものと、各々同じであるので、ここでは説明を省略する。
なお、本発明は、その発明の範囲内において、各実施の形態を自由に組み合わせたり、各実施の形態を適宜、変形、省略することが可能である。
【符号の説明】
【００３５】
１０１  消費電力監視コントローラ、１０２  消費電力監視冷蔵庫、１０３  プレイヤーＡ（テレビジョン受像機Ａ）、１０４  プレイヤーＢ（テレビジョン受像機Ｂ）、１０５  ＡＶ機器ネットワークコントローラ、１０６  コンテンツサーバー、３０２  ＡＶ機器ネットワークコントローラ通信部、３０３  消費電力監視コントローラ部、３０４  消費電力監視情報記憶部、３０５  消費電力監視ネットワークドライバ、４０１  ＡＶ機器ネットワークコントローラのマイクロコントローラ、４０２  ＡＶ機器ネットワークコントローラ部、４０３  消費電力監視コントローラ通信部、４０４  ＡＶ機器ネットワーク
機器動作記憶部、４０５  ＡＶ機器ネットワークコントローラのネットワークドライバ、４０６  動作記憶内容、６０１  コンテンツ格納部、６０２  コンテンツサーバーのネットワークドライバ。
【図１】
2015089176.tif 000003
【図２】
2015089176.tif 000004
【図３】
2015089176.tif 000005
【図４】
2015089176.tif 000006
【図５】
2015089176.tif 000007
【図６】
2015089176.tif 000008
【図７】
2015089176.tif 000009
【図８】
2015089176.tif 000010
【図９】
2015089176.tif 000011
【図１０】
2015089176.tif 000012